(57)【要約】【課題】  戸板の一方の側端部が戸袋に常に収容された状態となっている片引き戸において、戸板の戸袋に収容された側を容易に持ち上げ可能とすることにより、開口部への戸板のスムーズな着脱を可能とする手段を提供する。【解決手段】  本発明に係る片引き戸着脱用フック１は、片引き戸Ｋの戸板７を持ち上げて開口部２５から取り外しまたは戸板７を開口部２５に取り付ける際に戸板７の下端部７ａを保持するために用いられ、戸板７の底面を受ける底面受け片５及び該底面受け片５から突出して戸板７に係止する係止片６を有するフック部３と、手で持って操作するための把持部４とを備えるものである。【選択図】  図７
2009133102.tif 000002
【特許請求の範囲】
【請求項１】
壁面の一部に開口部が形成されるとともに、この開口部の一側部に戸袋が設けられ、前記開口部より幅広であって底面に回転自在な戸車を有する１枚の戸板が、前記戸袋に収容されて前記開口部を開放する位置と前記戸袋から引き出されて前記開口部を閉止する位置とへ横方向にスライド可能に設けられることで片引き戸が構成され、この片引き戸の前記戸板を持ち上げて前記開口部から取り外しまたは前記戸板を前記開口部に取り付ける際に前記戸板の下端部を保持するために用いる片引き戸着脱用フックであって、
前記戸板の底面を受ける底面受け片及び該底面受け片から突出して前記戸板に係止する係止片を有するフック部と、手で持って操作するための把持部とを備えることを特徴とする片引き戸着脱用フック。
【請求項２】
前記戸板に、その底面の一部を凹状に切り欠いて前記戸車を収容する戸車収容溝が複数個形成され、この戸車収容溝の縁部に、前記フック部の係止片が係止することを特徴とする請求項１に記載の片引き戸着脱用フック。
【請求項３】
前記係止片が、前記戸車収容溝と略同幅に形成されたことを特徴とする請求項１又は２に記載の片引き戸着脱用フック。
【請求項４】
壁面の一部に開口部が形成されるとともに、この開口部の一側部に戸袋が設けられ、前記開口部より幅広であって底面に回転自在な戸車を有する１枚の戸板が、前記戸袋に収容されて前記開口部を開放する位置と前記戸袋から引き出されて前記開口部を閉止する位置とへ横方向にスライド可能に設けられることで片引き戸が構成され、この片引き戸の前記戸板を持ち上げて前記開口部から取り外しまたは前記戸板を前記開口部に取り付ける際に前記戸板の側端部を保持するために用いる片引き戸着脱用把手であって、
横断面が略コ字型を有し前記戸板を厚み方向に挟持するようにその側端部に嵌合される戸板嵌合部と、手で持って操作するための把持部とを備えることを特徴とする片引き戸着脱用把手。
【請求項５】
前記戸板嵌合部の内側面に、弾性体からなる緩衝材が貼付されたことを特徴とする請求項４に記載の片引き戸着脱用把手。
【発明の詳細な説明】
【技術分野】
【０００１】
本発明は、一方の側部に戸袋が設けられた住宅等の開口部に、この開口部より幅広の１枚の戸板がスライド可能に設けられてなる戸袋式の片引き戸において、開口部から戸板を取り外し又は開口部に戸板を取り付ける際に使用する片引き戸着脱用フック及び片引き戸着脱用把手に関する。
【背景技術】
【０００２】
住宅等の建築物では、玄関や部屋の出入り口用の戸として、開けた時に邪魔にならずすっきりした印象になる片引き戸が採用される場合がある。図１４は、従来例に係る片引き戸８０の構成を示す概略横断面図である（特許文献１参照）。片引き戸８０は、レール８１に沿って左右にスライド可能に設けられた１枚の戸板８２が、壁面８３に当接する閉止位置で開口部８４を閉止し、戸袋８５に収容される開放位置で開口部８４を開放するように構成されたものである。ここで、図１４に示すように、戸板８２の横幅Ｗ１は開口部８４の横幅Ｗ２よりも若干大きく形成され、戸板８２は閉止位置にある時も戸袋８５から完全に引き出されることはなく、その一部が戸袋８５に収容された状態となっている。これにより、戸板８２が閉止時の衝撃等によってレール８１から脱落しても、開口部８４から外れることのないようになっている。
【０００３】
【特許文献１】特開２００３−４１８４８号公報
【発明の開示】
【発明が解決しようとする課題】
【０００４】
しかし、従来の戸袋式の片引き戸８０では、一旦開口部８４に取り付けた戸板８２を容易に取り外すことができないという問題があった。より詳細に説明すると、戸板８２はその下端部や上端部に複数の戸車（不図示）が回転自在に支持されており、この戸車が前記レール８１上を転動することで戸板８２がスライド可能となっている。従って、戸板８２を開口部８４から取り外すためには、戸板８２を持ち上げて戸車をレール８１から離脱させる必要がある。しかし、前述のように戸板８２は常にその一側端部が戸袋８５に収容された状態となっており、戸板８２と戸袋８５との間には僅かな隙間しかないため、この隙間に指を差し込むことは難しい。従って、戸板８２を持ち上げるべくその左右両側端部を手で持とうとしても、戸袋８５に収容された側の側端部を掴みにくく、持ち上げ作業が困難である。
【０００５】
この問題を回避する手段としては、戸板８２を持ち上げるべくその戸袋８５に収容された側を手で持つ時に、戸板８２の側端部ではなく下端部を掴む方法がある。しかし、図１４に詳細は示さないが、戸板８２の下端部と床面との間には、前記戸車の突出分程度の僅かな隙間しか空いておらず、この隙間に指を差し込むことは難しい。そこで、戸板８２における壁面８３側の下隅角８６を支点として、戸袋８５に収容された側を床面から浮かせるように戸板８２を若干傾ける。これにより、戸板８２の戸袋８５に収容された側についてその下端部を手で持つことができ、戸板８２を持ち上げることができる。しかし、このように戸板８２を傾けた状態で持ち上げて開口部８４から取り外す場合、その回転の支点となる側の下隅角８６が床面を擦って傷付けるという問題があった。
【０００６】
また、従来の戸袋式の引き戸では、取り外し作業と同様に、戸板８２を開口部８４に取り付ける作業も難しいという問題があった。より詳細に説明すると、戸板８２を開口部８４に取り付けるためには、戸板８２を持ち上げた状態から、その一側端部を戸袋８５に収容しながら、戸車をレール８１上に落とし込む必要がある。しかし、戸板８２の戸袋８５に収容する側については、その側端部を手で持った状態では手が邪魔になって側端部を戸袋８５に収容する作業が難しい。また、取り外し作業時と同様に、戸板８２の戸袋８５に収容される側については、戸板８２を若干傾けてその下端部を手で掴むことにより戸板８２を持ち上げることも可能であるが、この場合も傾けた戸板８２の下隅角８６で床面を擦って傷付けるという問題がある。
【０００７】
本発明は、このような問題に鑑みてなされたものであり、戸板の一方の側端部が戸袋に常に収容された状態となっている片引き戸において、戸板の戸袋に収容された側を容易に持ち上げ可能とすることにより、開口部への戸板のスムーズな着脱を可能とする手段を提供する。
【課題を解決するための手段】
【０００８】
上記目的を達成するための本発明に係る片引き戸着脱用フックは、壁面の一部に開口部が形成されるとともに、この開口部の一側部に戸袋が設けられ、前記開口部より幅広であって底面に回転自在な戸車を有する１枚の戸板が、前記戸袋に収容されて前記開口部を開放する位置と前記戸袋から引き出されて前記開口部を閉止する位置とへ横方向にスライド可能に設けられることで片引き戸が構成され、この片引き戸の前記戸板を持ち上げて前記開口部から取り外しまたは前記戸板を前記開口部に取り付ける際に前記戸板の下端部を保持するために用いる片引き戸着脱用フックであって、前記戸板の底面を受ける底面受け片及び該底面受け片から突出して前記戸板に係止する係止片を有するフック部と、手で持って操作するための把持部とを備えるものである。
【０００９】
また、本発明に係る片引き戸着脱用フックは、前記戸板に、その底面の一部を凹状に切り欠いて前記戸車を収容する戸車収容溝が複数個形成され、この戸車収容溝の縁部に、前記フック部の係止片が係止するものである。
【００１０】
また、本発明に係る片引き戸着脱用フックは、前記係止片が、前記戸車収容溝と略同幅に形成されたものである。
【００１１】
また、本発明に係る片引き戸着脱用把手は、壁面の一部に開口部が形成されるとともに、この開口部の一側部に戸袋が設けられ、前記開口部より幅広であって底面に回転自在な戸車を有する１枚の戸板が、前記戸袋に収容されて前記開口部を開放する位置と前記戸袋から引き出されて前記開口部を閉止する位置とへ横方向にスライド可能に設けられることで片引き戸が構成され、この片引き戸の前記戸板を持ち上げて前記開口部から取り外しまたは前記戸板を前記開口部に取り付ける際に前記戸板の側端部を保持するために用いる片引き戸着脱用把手であって、横断面が略コ字型を有し前記戸板を厚み方向に挟持するようにその側端部に嵌合される戸板嵌合部と、手で持って操作するための把持部とを備えるものである。
【００１２】
また、本発明に係る片引き戸着脱用把手は、前記戸板嵌合部の内側面に、弾性体からなる緩衝材が貼付されたものである。
【発明の効果】
【００１３】
本発明に係る片引き戸着脱用フックによれば、戸板の下端部と床面との間の隙間にフック部を差し込み、底面受け片を戸板の底面に当接させるとともに、係止片を戸板に係止させることにより、戸板の下端部に脱落不能に取り付けることができる。そして、把持部を持って引き上げることにより、容易且つ安定した状態で戸板を持ち上げることができる。これにより、開口部への戸板の着脱作業をスムーズに行うことができるとともに、戸板の下隅角で床面を傷付けることもない。
【００１４】
また、本発明に係る片引き戸着脱用フックによれば、フック部の係止片が戸板の戸車収容溝に係止されるので、複数個ある戸車収容溝から適宜選択したものに片引き戸着脱用フックを装着することにより、その装着位置を横方向に調節することができる。これにより、作業者の身長や腕の長さ等の体格によらず、容易且つ安定した状態で戸板を持ち上げることができる。
【００１５】
また、本発明に係る片引き戸着脱用フックによれば、戸車収容溝の内部で係止片が位置ズレしないので、戸板を持ち上げるべく力を加えた時に、下端部保持用フックに横ズレが生じない。
【００１６】
また、本発明に係る片引き戸着脱用把手によれば、戸板の側端部に装着することにより、戸板に開閉用の把手が突設されていなくても、戸板を持ち上げる際に倒れないように、その側端部を保持することができる。また、戸板に固定されることなく、把持部を持って引っ張れば上下にスライドさせることができるので、作業者の体格によらず、容易且つ安定した状態で戸板を持ち上げることができる。
【００１７】
また、本発明に係る片引き戸着脱用把手によれば、戸板の側端部に装着する際に、戸板嵌合部が戸板に接触して傷付けることがない。
【発明を実施するための最良の形態】
【００１８】
まず、本発明の実施例に係る片引き戸着脱用フックと片引き戸着脱用把手の構成について説明する。片引き戸着脱用フックと片引き戸着脱用把手は、片引き戸を構成する戸板を開口部から取り外しまたは開口部に取り付ける際に戸板を安定した状態で持ち上げるために使用するものである。具体的には、片引き戸着脱用フックは、戸板の下端部を保持するためのものであり、片引き戸着脱用把手は、戸板の一側端部を保持するためのものである。尚、片引き戸着脱用把手は、戸板に開閉用の把手が突設されておらず、片引き戸が閉止した状態では戸板の一端側を持つ場所がない時にだけ使用するものであって、戸板に開閉用の把手が突設されており、この把手を持って戸板の一端側を持ち上げられる時には、片引き戸着脱用把手を使用せずに、片引き戸着脱用フックのみを使用すればよい。
【００１９】
図１は、片引き戸着脱用フック１の構成を示す概略斜視図である。片引き戸着脱用フック１は、長尺な本体部２と、この本体部２の長手方向一端部に設けられたフック部３と、本体部２の長手方向他端部に設けられた把持部４とを備えるものである。
【００２０】
フック部３は、片引き戸着脱用フック１を戸板の下端部に係止させるためのものである。このフック部３は、図１に示すように全体として鉤状に形成され、本体部２の長手方向一端部から略９０°の角度をなすように延びる板状の底面受け片５と、この底面受け片５の先端から略９０°の角度をなして本体部２と略平行方向に延びる係止片６とを備えている。係止片６は、先端側に向かってその厚みが徐々に薄くなるように形成されている。
【００２１】
把持部４は、片引き戸着脱用フック１の使用者が手に持って操作するためのものである。この把持部４は、図１にしめすように、木材や樹脂等からなる略円柱形状の部材であって、本体部２の長手方向他端部から略９０°の角度をなして前記フック部３とは逆側に延びるように設けられている。尚、把持部４の材質や形状は、本実施例に限定されず適宜設計変更が可能である。
【００２２】
このように構成される片引き戸着脱用フック１は、片引き戸を構成する戸板の下端部に、前記フック部３を用いて装着される。図２は、片引き戸着脱用フック１の戸板７への装着状態を説明するための図であり、戸板７の下端部７ａを拡大した部分拡大縦断面図である。図に示すように、戸板７の下端部７ａには、その底面８の一部を凹状に切り欠くことにより戸車収容溝９が複数個形成され、各戸車収容溝９の内部には戸車１０が回転自在に軸支されている。そして、この戸車１０がレール１１の上を転動することにより、戸板７はレール１１に沿ってスライド可能となっている。片引き戸着脱用フック１は、そのフック部３が戸板７と床面１２との間の隙間１３に差し込まれ、底面受け片５が戸板７の底面８に当接し、係止片６が戸車収容溝９の縁部に係止した状態で、戸板７の下端部７ａに脱落不能に装着される。
【００２３】
ここで、図１と図２に示すように、底面受け片５は、その長さＬ１が、戸板７表面から戸車収容溝９までの戸板７の厚みＡ１と略等しくなるよう形成されている。また、係止片６は、その厚みＡ２が、戸板７と床面１２との間の隙間幅Ｓ１より小さく、その長さＬ２が、戸車１０と戸車収容溝９との間の隙間幅Ｓ２より小さくなるよう形成されている。更に、底面受け片５と係止片６の横幅Ｗ１は、戸車収容溝９の横幅（不図示）と略等しく形成され、戸車収容溝９の内部での係止片６の位置ズレを防止することにより、片引き戸着脱用フック１が横ズレしないようになっている。
【００２４】
尚、片引き戸着脱用フック１の戸板７への装着位置は、戸車収容溝９を形成した箇所に限られず、図３に示すように、戸板７の下端部７ａにおいて戸車収容溝９の無い箇所とすることもできる。この場合、底面受け片５の長さＬ１を戸板７の厚みＡ３と略等しく形成し、係止片６を戸板７の裏面に係止させればよい。しかし、本実施例のように係止片６を戸車収容溝９に係止させた方が、前述のように片引き戸着脱用フック１が横ズレしにくいという利点がある。
【００２５】
次に、図４は、片引き戸着脱用把手１４の構成を示す概略斜視図である。片引き戸着脱用把手１４は、横断面がコ字型を有する戸板嵌合部１５と、この戸板嵌合部１５の長手方向に略平行して延びる把持部１６と、戸板嵌合部１５と把持部１６を接続する接続部１７とを備えるものである。
【００２６】
戸板嵌合部１５は、戸板７を厚み方向に挟むように嵌合させることにより、片引き戸着脱用把手１４を戸板７の側端部に装着するためのものである。この戸板嵌合部１５は、図４に示すように、横断面が略Ｌ字型を有する２枚のＬ字型片１８と、各Ｌ字型片１８の谷側面１８ａにそれぞれ貼り付けられた緩衝材１９とを備えている。Ｌ字型片１８は、金属等からなる薄板を幅方向中間部で略９０°曲折したものであり、その幅方向一端部には、９０°曲折した部分とは逆方向に若干曲折することで拡開部２０が形成されている。このような２枚のＬ字型片１８は、その谷側面１８ａ同士を向かい合わせるようにして幅方向他端部同士が重合され、溶接等により互いに固着されている。ここで、図４に示すように、相対向するＬ字型片１８同士の距離が最も小さくなる部分では、その距離Ｄ１が戸板７の厚みＡ３と同程度になっている。また、前記拡開部２０同士が向かい合う位置では、Ｌ字型片１８同士の距離Ｄ２が戸板７の厚みＡ３より大きくなっており、戸板嵌合部１５を戸板７の側端部に嵌合させやすくなっている。尚、本実施例では、戸板嵌合部１５を２枚のＬ字型片１８を固着して構成しているが、これに代えて１枚の金属板等をコ字型に曲折することで戸板嵌合部１５を構成することも可能である。
【００２７】
一方、緩衝材１９は、戸板嵌合部１５を戸板７の側端部に嵌合させる際に、各Ｌ字型片１８が戸板７に接触して傷付けるのを防止するためのものである。この緩衝材１９は、例えばスポンジ等の弾性体からなるシート状の部材を略矩形に形成したものであり、各Ｌ字型片１８の谷側面１８ａにおける幅方向中間部から拡開部２０に渡る領域に、図示しない糊等を用いて貼り付けられている。この緩衝材１９の厚みＡ４は、片引き戸着脱用把手１４の操作性を考慮して決定する必要がある。すなわち、片引き戸着脱用把手１４を使用時に位置ズレが生じないように安定して戸板７に装着するためには、戸板嵌合部１５がある程度の力で戸板７を挟持することが好適である。しかし、後述するように、片引き戸着脱用把手１４は使用者の体格等に応じて戸板７の側端部に沿って上下にスライド可能とする必要があるため、片引き戸着脱用把手１４のスライドを妨げるほど戸板嵌合部１５が戸板７を強く挟持し過ぎるのは好適でない。従って、このバランスを考慮して緩衝材１９の厚みＡ４を決定する必要がある。
【００２８】
把持部１６は、片引き戸着脱用把手１４の使用者が手に持って操作するためのものである。この把持部１６は、図４に示すように、木材や樹脂等からなる略円柱形状の部材であって、その長手寸法は戸板嵌合部１５の長手寸法と略等しくなっている。また、把持部１６には、前記接続部１７を嵌合させるための嵌合溝２１が、その周面の一部を切り欠いて形成されている。尚、把持部１６の材質や形状は、本実施例に限定されず適宜設計変更が可能である。
【００２９】
接続部１７は、金属等よりなる薄板を切り抜き及び曲折して形成したものであり、図４に示すように、戸板嵌合部１５に固定される基片２２と、把持部１６に固定される上下一対の突片２３とを備えている。この接続部１７は、その基片２２が、一方のＬ字型片１８の山側面に当接された状態で固定されるとともに、各突片２３が、把持部１６の嵌合溝２１にそれぞれ嵌合された状態で固定される。尚、接続部１７の材質や形状は、本実施例に限定されず適宜設計変更が可能である。また、本実施例では、接続部１７を戸板嵌合部１５や把持部１６とは別部材として構成しているが、これらと一体構成することも可能である。
【００３０】
このように構成される片引き戸着脱用把手１４は、片引き戸を構成する戸板７の側端部に、前記戸板嵌合部１５を用いて装着される。図５は、片引き戸着脱用把手１４の戸板７への装着状態を説明するための図であり、戸板７の側端部７ｂを拡大した部分拡大横断面図である。図に示すように、片引き戸着脱用把手１４は、戸板７の側端部７ｂに戸板嵌合部１５を嵌合させることにより装着される。ここで、戸板嵌合部１５は、その２枚のＬ字型片１８が重合された箇所に戸板７の側端面が当接するまで嵌合される。この時、戸板嵌合部１５を構成する緩衝材１９が戸板７をある程度の力で挟持しているため、片引き戸着脱用把手１４はその自重により戸板７の側端部７ｂに沿って下方に滑り落ちることがない。しかし、緩衝材１９が戸板７を強く挟持しているわけではないため、把持部１６を持って上方向または下方向に引っ張ることにより、片引き戸着脱用把手１４を戸板７の側端部７ｂに沿って上下方向にスライドできるようになっている。
【００３１】
以下、片引き戸着脱用フック１と片引き戸着脱用把手１４を用いて片引き戸の戸板７を開口部から取り外す手順について説明する。図６乃至図１３は、片引き戸Ｋの取り外し手順を説明するための図であり、片引き戸Ｋの周辺を示す概略斜視図である。尚、図６乃至図１３では、説明の便宜上、片引き戸Ｋの取り外し作業を行う作業者については図示を省略している。
【００３２】
まず、図６は、片引き戸着脱用フック１と片引き戸着脱用把手１４を戸板７に装着する前の片引き戸Ｋを示す図である。本実施例に係る片引き戸Ｋは、部屋の出入り口に設けられるものであって、部屋の室内側と室外側を仕切る壁面２４と、この壁面２４に形成された所定幅の開口部２５と、この開口部２５の下方に敷設されたレール１１と、このレール１１に沿ってスライド可能に設けられた１枚の戸板７と、この戸板７をそのスライド方向一端側で収容する戸袋２６とを備えるものである。ここで、戸袋２６の開口両縁部には、戸袋２６と略同じ高さ寸法を有する左右一対の縦枠Ｔが、それぞれ着脱可能に取り付けられている。
【００３３】
このように構成される片引き戸Ｋは、戸板７が、壁面２４に当接する閉止位置で開口部２５を閉止し、戸袋２６に収容される開放位置で開口部２５を開放するようになっている。ここで、図６に示すように、戸板７の横幅Ｗ２は開口部２５の横幅Ｗ３よりも若干大きく形成され、戸板７は閉止位置にある時も戸袋２６から完全に引き出されることはなく、その一部が戸袋２６に収容された状態となっている。これにより、戸板７を閉止した時に開口部２５をより確実に閉止して部屋の密閉性を高めることができるとともに、戸板７が閉止時の衝撃等によってレール１１から脱落しても、開口部２５から外れることのないようになっている。
【００３４】
次に、図７は、図６に示す状態から室内側の縦枠Ｔを取り外すとともに、片引き戸着脱用フック１と片引き戸着脱用把手１４を戸板７に装着した状態を示す図である。すなわち、図６に示すように閉止位置にある戸板７を開放位置に向かって若干スライドさせ、戸板７を壁面２４から離間させることにより、戸板７の一側端部７ｂを露呈させる。そして、この戸板７の側端部７ｂにおける適当な位置に、前述のように戸板嵌合部１５を嵌合させることによって片引き戸着脱用把手１４を装着する。更に、戸板７の下端部７ａにおける適当な位置に、前述のようにフック部３を係止させることによって片引き戸着脱用フック１を装着する。
【００３５】
尚、本実施例では、室内側から戸板７を取り外す場合を例にして説明するため、戸板７の室内側から片引き戸着脱用フック１を装着しているが、室外側から戸板７を取り外す場合には、室外側から片引き戸着脱用フック１を装着すればよい。また、片引き戸着脱用フック１と片引き戸着脱用把手１４の戸板７への装着順序は、本実施例とは逆に片引き戸着脱用フック１から先に装着してもよい。更に、前述のように戸板７から突出して開閉用の把手（不図示）が設けられている場合には、片引き戸着脱用把手１４を装着することなく、片引き戸着脱用フック１だけを装着すればよい。
【００３６】
次に、図８は、図７に示す状態から片引き戸着脱用フック１と片引き戸着脱用把手１４の取付位置を適切な位置に調節した状態を示す図である。すなわち、後述するように片引き戸着脱用フック１と片引き戸着脱用把手１４を手に持って戸板７を安定した状態で持ち上げるためには、作業者の身長や腕の長さ等の体格に応じて、片引き戸着脱用フック１と片引き戸着脱用把手１４を戸板７の適切な位置に装着する必要がある。従って、片引き戸着脱用把手１４を戸板７の側端部７ｂに沿ってスライドさせることによって上下方向への取付位置を調節するとともに、片引き戸着脱用フック１を装着する戸車収容溝９を変更することによって横方向への取付位置を調節する。
【００３７】
次に、図９は、図８に示す状態から図中に矢印で示すように戸板７を閉止位置までスライドさせた状態を示す図である。ここで、前述のように、戸板７は片引き戸着脱用把手１４が装着されていなくても、閉止位置ではその一部が戸袋２６に収容されるようになっている。従って、片引き戸着脱用把手１４が装着された図９に示す状態では、戸板７は、前記戸板嵌合部１５の厚み分だけ、図８に示す状態よりも更に戸袋２６側へスライドした状態となっている。
【００３８】
次に、図１０は、図９に示す状態から戸板７を持ち上げた状態を示す図である。すなわち、戸板７を開口部２５から取り外すためには、戸車１０をレール１１から離脱させる必要がある。従って、図９に示す状態から、片引き戸着脱用フック１の把持部４と片引き戸着脱用把手１４の把持部１６を左右の手でそれぞれ掴み、図９中に矢印で示すように戸板７を鉛直上方へ持ち上げることにより、図２に示す戸車１０とレール１１の嵌合を解除する。
【００３９】
次に、図１１は、図１０に示す状態から戸板７の一方の側端部７ｂを開口部２５から取り外した状態を示す図である。すなわち、通常は、戸板７の他方の側端部７ｂが常に戸袋２６に収容されているため、その両側端部７ｂを同時に開口部２５から取り外すことはできないが、前述のように戸袋２６の室内側に取り付けられた縦枠Ｔを事前に取り外してあることにより、戸板７の他方の側端部７ｂが戸袋２６の外部に露呈した状態となっている。そこで、図１０に示すように戸板７を持ち上げた状態から、片引き戸着脱用把手１４を室外側へ押し出すとともに、片引き戸着脱用フック１を室内側へ引き付けるようにして、図１０中に矢印で示すように戸板７を鉛直軸廻りに若干回転させる。これにより、図１１に示すように、戸板７の壁面２４側の側端部７ｂが開口部２５から取り外される。
【００４０】
次に、図１２は、図１１に示す状態から戸板７の他方の側端部７ｂを戸袋２６から引き出した状態を示す図である。すなわち、図１１に示す状態から、片引き戸着脱用把手１４と片引き戸着脱用フック１の両方を横方向に引っ張るようにして、図１１中に矢印で示すように戸板７を横方向に若干移動させる。これにより、図１２に示すように、戸板７の全体が戸袋２６の外部へと引き出される。
【００４１】
最後に、図１３は、図１２に示す状態から戸板７の他方の側端部７ｂを開口部２５から取り外した状態を示す図である。すなわち、図１２に示す状態から、片引き戸着脱用把手１４と片引き戸着脱用フック１の両方を室外側へ押し出すようにして、図１２中に矢印で示すように戸板７を室外側へ運び出す。これにより、戸板７の他方の側端部７ｂも開口部２５から取り外され、戸板７の全体について開口部２５からの取り外しが完了する。
【００４２】
このように、片引き戸着脱用把手１４と片引き戸着脱用フック１を用いて戸板７の側端部７ｂと下端部７ａを保持することにより、戸板７を容易に持ち上げて開口部２５から取り外すことができる。また、図１２に示すように、戸板７を水平な状態に保ったまま開口部２５から取り外すことができるので、戸板７の下隅角２７によって床面１２を傷付けにくいという利点がある。
【００４３】
尚、戸板７を室外側へ運び出す際に戸板７が安定しない場合には、図１３に示すように、片引き戸着脱用フック１を室外側へ押し出すようにして、戸板７をその戸袋２６側上部が室内側へ倒れるように若干傾け、例えば図１３中に一点鎖線で示すような戸袋２６側の上部２８を肩等で支持すればよい。こうすれば、片引き戸着脱用把手１４と片引き戸着脱用フック１と肩等の３点で戸板７を支持することになるので、より安定した状態で戸板７を室外側へ運び出すことができる。
【００４４】
以上、片引き戸Ｋの戸板７を開口部２５から取り外す手順について説明したが、これとは逆の手順で、片引き戸Ｋの戸板７を開口部２５に取り付けることができる。すなわち、図１２に示すように戸袋２６の室内側の縦枠Ｔを取り外した状態で、片引き戸着脱用把手１４と片引き戸着脱用フック１を用いて持ち上げた戸板７を開口部２５の周辺に運び込む。そして、図１１に示すように戸板７の他方の側端部７ｂを戸袋２６に収容した後、図１０に示すように戸板７を鉛直軸廻りに若干回転させることにより一方の側端部７ｂを開口部２５に合わせる。そして、図９に示すように戸板７をレール１１上に落とし込んで、戸車１０をレール１１に嵌合させた後、取り外してあった縦枠Ｔを図６に示すように戸袋２６の室内側に取り付けることにより、戸板７を開口部２５に取り付けることができる。
【産業上の利用可能性】
【００４５】
本発明に係る片引き戸着脱用フックと片引き戸着脱用把手は、室内側から見て戸板の左側に戸袋が設けられ、戸板を左側にスライドさせて開くタイプの片引き戸だけでなく、戸板の右側に戸袋が設けられ、戸板を右側にスライドさせて開くタイプの片引き戸にも適用可能である。
【図面の簡単な説明】
【００４６】
【図１】本発明の実施例に係る片引き戸着脱用フック１の構成を示す概略斜視図。
【図２】片引き戸着脱用フック１の戸板７への装着状態を説明するための図であり、戸板７の下端部７ａを拡大した部分拡大縦断面図。
【図３】片引き戸着脱用フック１の戸板７への他の装着状態を説明するための図であり、戸板７の下端部７ａを拡大した部分拡大縦断面図。
【図４】片引き戸着脱用把手１４の構成を示す概略斜視図。
【図５】片引き戸着脱用把手１４の戸板７への装着状態を説明するための図であり、戸板７の側端部７ｂを拡大した部分拡大横断面図。
【図６】片引き戸Ｋの取り外し手順を説明するための図であり、片引き戸Ｋの周辺を示す概略斜視図。
【図７】片引き戸Ｋの取り外し手順を説明するための図であり、片引き戸Ｋの周辺を示す概略斜視図。
【図８】片引き戸Ｋの取り外し手順を説明するための図であり、片引き戸Ｋの周辺を示す概略斜視図。
【図９】片引き戸Ｋの取り外し手順を説明するための図であり、片引き戸Ｋの周辺を示す概略斜視図。
【図１０】片引き戸Ｋの取り外し手順を説明するための図であり、片引き戸Ｋの周辺を示す概略斜視図。
【図１１】片引き戸Ｋの取り外し手順を説明するための図であり、片引き戸Ｋの周辺を示す概略斜視図。
【図１２】片引き戸Ｋの取り外し手順を説明するための図であり、片引き戸Ｋの周辺を示す概略斜視図。
【図１３】片引き戸Ｋの取り外し手順を説明するための図であり、片引き戸Ｋの周辺を示す概略斜視図。
【図１４】従来例に係る片引き戸８０の構成を示す概略横断面図。
【符号の説明】
【００４７】
１  片引き戸着脱用フック
３  フック部
４  把持部（片引き戸着脱用フック１）
５  底面受け片
６  係止片
７  戸板
７ａ  下端部（戸板７）
７ｂ  側端部（戸板７）
９  戸車収容溝
１０  戸車
１４  片引き戸着脱用把手
１５  戸板嵌合部
１６  把持部（片引き戸着脱用把手１４）
１９  緩衝材
２４  壁面
２５  開口部
２６  戸袋
Ｋ  片引き戸
【図１】
2009133102.tif 000003
【図２】
2009133102.tif 000004
【図３】
2009133102.tif 000005
【図４】
2009133102.tif 000006
【図５】
2009133102.tif 000007
【図６】
2009133102.tif 000008
【図７】
2009133102.tif 000009
【図８】
2009133102.tif 000010
【図９】
2009133102.tif 000011
【図１０】
2009133102.tif 000012
【図１１】
2009133102.tif 000013
【図１２】
2009133102.tif 000014
【図１３】
2009133102.tif 000015
【図１４】
2009133102.tif 000016